(57)【特許請求の範囲】
【請求項１】
地上デジタル放送を受信するチューナと、
前記チューナで受信された信号から番組情報を抽出し、映像信号を生成する映像信号処理部と、
前記映像信号処理部で生成された映像信号に基づき番組情報と、複数の経路候補の選択ボタンを表示する表示部と、
現在の位置を検出する位置検出部と、
目的地を入力する入力装置と、
前記位置検出部で検出された位置から前記入力装置によって入力された目的地までの前記複数の経路候補及び前記複数の経路候補上の所定の地点への到着時刻を計算する経路計算部と、
前記番組情報、前記複数の経路候補及び前記到着時刻に基づき、現在地における番組の放送局、前記複数の経路候補上の所定の地点での前記番組の放送局の受信状況を、所定の地点の順に並べて表す放送局変更テーブルを前記複数の経路候補ごとに作成する制御部
とを備え、
前記制御部は、
現在地における番組が前記目的地においても放送されている場合、前記番組が前記目的地においても視聴可能である旨のメッセージを生成し、
前記映像信号処理部は、前記制御部で生成されたメッセージを表示するための映像信号を生成し、
前記表示部は、
前記複数の経路候補の選択ボタンとともに前記メッセージを表示する
ことを特徴とするナビゲーション装置。
【請求項２】
地上デジタル放送を受信するチューナと、
前記チューナで受信された信号から番組情報を抽出し、映像信号を生成する映像信号処理部と、
前記映像信号処理部で生成された映像信号に基づき番組情報と、複数の経路候補の選択ボタンを表示する表示部と、
現在の位置を検出する位置検出部と、
目的地を入力する入力装置と、
前記位置検出部で検出された位置から前記入力装置によって入力された目的地までの前記複数の経路候補及び前記複数の経路候補上の所定の地点への到着時刻を計算する経路計算部と、
前記番組情報、前記複数の経路候補及び前記到着時刻に基づき、現在地における番組の放送局、前記複数の経路候補上の所定の地点での前記番組の放送局の受信状況を、所定の地点の順に並べて表す放送局変更テーブルを前記複数の経路候補ごとに作成する制御部
とを備え、
前記制御部は、
前記位置検出部により検出された位置に基づいて地上デジタル放送の放送地域が変化したことを検出した場合に、該位置で受信可能な番組のうち、該放送地域でローカルに放送されている番組へ切り換えるか否かを問い合わせるメッセージを生成し、
前記映像信号処理部は、前記制御部で生成されたメッセージを表示するための映像信号を生成し、
前記表示部は、
前記複数の経路候補の選択ボタンとともに前記メッセージを表示する
とを特徴とするナビゲーション装置。
【請求項３】
地上デジタル放送を受信するチューナと、
前記チューナで受信された信号から番組情報を抽出し、映像信号を生成する映像信号処理部と、
前記映像信号処理部で生成された映像信号に基づき番組情報と、複数の経路候補の選択ボタンを表示する表示部と、
現在の位置を検出する位置検出部と、
目的地を入力する入力装置と、
前記位置検出部で検出された位置から前記入力装置によって入力された目的地までの前記複数の経路候補及び前記複数の経路候補上の所定の地点への到着時刻を計算する経路計算部と、
前記番組情報、前記複数の経路候補及び前記到着時刻に基づき、現在地における番組の放送局、前記複数の経路候補上の所定の地点での前記番組の放送局の受信状況を、所定の地点の順に並べて表す放送局変更テーブルを前記複数の経路候補ごとに作成する制御部
とを備え、
前記制御部は、
前記位置検出部により検出された位置に基づいて地上デジタル放送の放送地域が変化し、視聴中の番組が受信不可となった場合に、該視聴中の番組が視聴できなくなる旨のメッセージを生成し、
前記映像信号処理部は、前記制御部で生成されたメッセージを表示するための映像信号を生成し、
前記表示部は、
前記複数の経路候補の選択ボタンとともに前記メッセージを表示する
ことを特徴とするナビゲーション装置。
【請求項４】
地上デジタル放送を受信するチューナと、
前記チューナで受信された信号から番組情報を抽出し、映像信号を生成する映像信号処理部と、
前記映像信号処理部で生成された映像信号に基づき番組情報と、複数の経路候補の選択ボタンを表示する表示部と、
現在の位置を検出する位置検出部と、
目的地を入力する入力装置と、
前記位置検出部で検出された位置から前記入力装置によって入力された目的地までの前記複数の経路候補及び前記複数の経路候補上の所定の地点への到着時刻を計算する経路計算部と、
前記番組情報、前記複数の経路候補及び前記到着時刻に基づき、現在地における番組の放送局、前記複数の経路候補上の所定の地点での前記番組の放送局の受信状況を、所定の地点の順に並べて表す放送局変更テーブルを前記複数の経路候補ごとに作成する制御部
とを備え、
前記制御部は、
前記位置検出部により検出された位置に基づいて地上デジタル放送の放送地域が変化し、視聴中の番組が受信不可となった場合に、該視聴中の番組の視聴を継続できる経路を提示し、
前記表示部は、
前記複数の経路候補の選択ボタンとともに前記視聴中の番組の視聴を継続できる経路を表示する
ことを特徴とするナビゲーション装置。
【発明の詳細な説明】
【技術分野】
【０００１】
この発明は、車両に搭載され、ユーザを目的地まで案内するナビゲーション装置に関し、特に地上デジタル放送の受信機能を有するナビゲーション装置に関する。
【背景技術】
【０００２】
近年、ナビゲーション装置の高機能化に伴い、デジタル放送の受信機能を有するナビゲーション装置が開発されている。このようなナビゲーション装置において、ユーザが、複数の放送局から放送されている複数の番組の中から所望の番組を視聴する際の目安として利用できる電子番組ガイド（ＥＰＧ：Ｅｌｅｃｔｒｏｎｉｃ  Ｐｒｏｇｒａｍ  Ｇｕｉｄｅ）が実現されている。このＥＰＧを用いれば、ユーザは、テレビジョン画面に映し出された番組内容および放送時間などをチェックしながら、所望の番組を簡単に選択することができる。
【０００３】
ところで、デジタル放送は多数のチャンネルで放送されるため、ユーザは、視聴を所望する番組の選択に迷うことが多い。このような場合、ユーザが番組を選択する際の判断材料として番組の視聴率情報は有効である。しかしながら、現状においては、番組の視聴率が発表されるのは、早くても番組の放送日の翌日であるので、ユーザは人気のある番組をリアルタイムで知ることができない。毎週放送される番組であれば、番組の放送日の翌日以降に発表された視聴率を参考にすることができるが、１回しか放送されない特別番組では、このような視聴率を参考にすることはできない。そこで、ユーザが視聴率をリアルタイムに知ることができる視聴率集計システムが開発されている（例えば、特許文献１参照）。
【０００４】
この特許文献１に開示された視聴率集計システムにおいては、放送局はデジタル放送を放送する。テレビジョン受信機は、放送局から放送されたデジタル放送を受信してディスプレイに表示する。一方、テレビジョン受信機は、ユーザが視聴しているチャンネルに関する視聴情報を適宜のタイミングで視聴率集計サーバに通知する。視聴率集計サーバは、各テレビジョン受信機から通知された視聴情報に基づいて各チャンネル（番組）の視聴率を集計する。この集計された視聴率は、放送局を介して放送され、テレビジョン受信機のディスプレイを通じてユーザに提供される。この視聴率集計システムによれば、ユーザはＥＰＧで得られる番組情報に加えて、現時点におけるその番組の視聴率を数字で知ることができるので、番組を視聴するかどうかの参考にすることができる。
【先行技術文献】
【特許文献】
【０００５】
【特許文献１】特開２００３−２４４７３１号公報
【発明の概要】
【発明が解決しようとする課題】
【０００６】
しかしながら、上述した従来の技術では、地域単位で放送される地上デジタル放送の受信機能を備えたカーナビゲーション装置が長距離を移動する場合に、現在地と移動途中または移動先の地域とで視聴可能な放送局が異なるため、移動中に番組が視聴できなくなったり、別の番組に切り替わったりするという問題がある。
【０００７】
また、カーナビゲーション装置が、視聴率を集計している視聴率集計サーバとの間でリアルタイムに通信する場合に、通信環境が悪化すると、視聴率集計サーバによって集計された視聴率の信頼性が損なわれる恐れがある。
【０００８】
この発明は、上述した問題を解消するためになされたものであり、その課題は、移動中であっても、ユーザの番組選択に寄与できる形態でテレビジョン放送の番組情報を提示できるナビゲーション装置を提供することにある。
【課題を解決するための手段】
【０００９】
上記課題を解決するために、この発明に係るナビゲーション装置は、地上デジタル放送を受信するチューナと、前記チューナで受信された信号から番組情報を抽出し、映像信号を生成する映像信号処理部と、前記映像信号処理部で生成された映像信号に基づき番組情報と、複数の経路候補の選択ボタンを表示する表示部と、現在の位置を検出する位置検出部と、目的地を入力する入力装置と、前記位置検出部で検出された位置から前記入力装置によって入力された目的地までの前記複数の経路候補及び前記複数の経路候補上の所定の地点への到着時刻を計算する経路計算部と、前記番組情報、前記複数の経路候補及び前記到着時刻に基づき、現在地における番組の放送局、前記複数の経路候補上の所定の地点での前記番組の放送局の受信状況を、所定の地点の順に並べて表す放送局変更テーブルを前記複数の経路候補ごとに作成する制御部とを備え、前記制御部は、現在地における番組が前記目的地においても放送されている場合、前記番組が前記目的地においても視聴可能である旨のメッセージを生成し、前記映像信号処理部は、前記制御部で生成されたメッセージを表示するための映像信号を生成し、前記表示部は、前記複数の経路候補の選択ボタンとともに前記メッセージを表示することを特徴とする。
【発明の効果】
【００１０】
この発明に係るナビゲーション装置によれば、所定の番組の、目的地までの経路上の所定地点での受信状況を知ることができるので、移動に伴って放送地域が変化する場合であっても、ユーザは所望の番組の選択を容易に行うことができる。
【図面の簡単な説明】
【００１１】
【図１】この発明の実施の形態１に係るナビゲーション装置の構成を示すブロック図である。
【図２】この発明の実施の形態１に係るナビゲーション装置の動作を示すフローチャート（その１）である。
【図３】この発明の実施の形態１に係るナビゲーション装置の動作を示すフローチャート（その２）である。
【図４】図２に示すフローチャートのステップＳＴ１８で行われるサーバ処理の詳細を示すフローチャートである。
【図５】この発明の実施の形態１に係るナビゲーション装置で使用される放送局変更テーブルを示す図である。
【図６】この発明の実施の形態１に係るナビゲーション装置で使用される視聴状態テーブルを示す図である。
【図７】この発明の実施の形態１に係るナビゲーション装置で表示される視聴番組選択画面の例を示す図である。
【図８】この発明の実施の形態１に係るナビゲーション装置で表示される経路選択画面の例を示す図である。
【図９】この発明の実施の形態１に係るナビゲーション装置で表示される経路選択画面の他の例を示す図である。
【図１０】この発明の実施の形態１に係るナビゲーション装置で表示される、放送局の切り換えの可否を問い合わせる画面の例を示す図である。
【図１１】この発明の実施の形態１に係るナビゲーション装置で表示される、ローカル放送局の切り換えの可否を問い合わせる画面の例を示す図である。
【図１２】この発明の実施の形態１に係るナビゲーション装置で表示される、放送局が圏外になる旨のメッセージの例を示す図である。
【発明を実施するための形態】
【００１２】
以下、この発明の実施の形態を、図面を参照しながら詳細に説明する。
実施の形態１．
図１は、この発明の実施の形態１に係るナビゲーション装置の構成を示すブロック図である。このナビゲーション装置は、入力装置１、ＧＰＳ（Ｇｌｏｂａｌ  Ｐｏｓｉｔｉｏｎｉｎｇ  Ｓｙｓｔｅｍ）受信機２、テレビジョンチューナ（以下、「ＴＶチューナ」と略する）３、記憶装置４、通信部５、マイクロコンピュータ（以下、「マイコン」と略する）６、音声信号処理部７、アンプ８、スピーカ９、映像信号処理部１０およびディスプレイ１１から構成されている。
【００１３】
入力装置１は、ユーザの操作に応じて指示信号を生成し、マイコン６に送る。この入力装置１としては、例えば、ユーザの手動操作に応じて指示信号を生成するボタン、リモートコントローラまたはタッチパネル、ユーザが発話した音声を認識して指示信号を生成する音声認識機能付きの音声入力装置などから構成することができる。ＧＰＳ受信機２は、地球を周回しているＧＰＳ衛星からの電波を受信し、自己の位置（緯度および経度）を算出する。このＧＰＳ受信機２において算出された自己の位置は、位置信号としてマイコン６に送られる。
【００１４】
ＴＶチューナ３は、この発明のチューナに対応し、各地に設置された放送局から送信される地上デジタル放送を受信する。１つの放送局がカバーする地域を、「放送地域」と呼び、通常は、放送地域が重複するように放送局が配置されている。このＴＶチューナ３で地上デジタル放送を受信することにより得られた信号は、音声信号処理部７および映像信号処理部１０に送られる。
【００１５】
記憶装置４は、例えばＨＤＤ（Ｈａｒｄ  Ｄｉｓｋ  Ｄｒｉｖｅ）から構成されており、地図データの他に、ナビゲーション機能およびテレビジョン機能を実現するための種々のデータを記憶している。この記憶装置４は、マイコン６によってアクセスされる。なお、地図データを記憶する媒体としては、ＨＤＤに限らず、ＤＶＤ（Ｄｉｇｉｔａｌ  Ｖｅｒｓａｔｉｌｅ  Ｄｉｓｋ）またはＣＤ（Ｃｏｍｐａｃｔ  Ｄｉｓｃ）を用いることもできる。この場合、これらの媒体から地図データを読み出すドライブ装置がマイコン６に接続される。
【００１６】
通信部５は、例えば携帯電話または無線通信機器などから構成されており、マイコン６からの指示に応答して、該マイコン６と外部のサーバ２０との間のリアルタイム通信を制御する。この通信部５は、サーバ２０から視聴率情報を受信してマイコン６に送るとともに、マイコン６から送られてくる視聴情報をサーバ２０に送信する。ここで、視聴情報は、視聴中のチャンネルを表す情報である。
【００１７】
マイコン６は、このナビゲーション装置の全体を制御することにより、ナビゲーション機能およびテレビジョン機能などを実現する。このマイコン６の詳細については後述する。
【００１８】
音声信号処理部７は、例えばＤＳＰ（Ｄｉｇｉｔａｌ  Ｓｉｇｎａｌ  Ｐｒｏｃｅｓｓｏｒ）から構成されており、ＴＶチューナ３から送られてくる信号およびマイコン６から送られてくる信号を処理することにより音声信号を生成する。この音声信号処理部７において生成された音声信号は、アンプ８に送られる。
【００１９】
アンプ８は、パワーアンプから構成されており、音声信号処理部７から送られてくる音声信号を増幅してスピーカ９に送る。スピーカ９は、アンプ８から送られてくる音声信号を音声に変換して出力する。これにより、例えば地上デジタル放送の音声または経路案内時の案内音声などが出力される。
【００２０】
映像信号処理部１０は、ＴＶチューナ３から送られてくる信号およびマイコン６から送られてくる信号を処理することにより、テレビジョン画面またはナビゲーション画面を表示するための映像信号を生成する。この映像信号処理部１０において生成された映像信号は、ディスプレイ１１に送られる。
【００２１】
ディスプレイ１１は、この発明の表示部に対応し、例えばＬＣＤ（Liquid Crystal Display）から構成されている。このディスプレイ１１は、映像信号処理部１０から送られてくる映像信号に基づき映像を表示する。このディスプレイ１１には、例えば、テレビジョン機能が使用される場合は、地上デジタル放送の映像の他に、視聴率情報を含む番組情報（例えば、ＥＰＧ）が表示され、ナビゲーション機能が使用される場合は、自車位置の周辺の地図に自車位置マークまたは現在位置から目的地までの経路などが重畳されて表示される。
【００２２】
サーバ２０は、車両に搭載されたテレビジョン機能を有するナビゲーション装置または家庭などに備え付けられたテレビジョン受信機から送信されてくる視聴情報をリアルタイムに集計して視聴率を算出する。このサーバ２０において算出された視聴率は、ナビゲーション装置またはテレビジョン受信機からの要求に応答して、視聴率情報として要求元に送信される。
【００２３】
次に、上述したマイコン６の詳細を説明する。マイコン６は、プログラムによって実現された位置検出部３１、経路計算部３２および制御部３３を備えている。なお、このマイコン６は、これらの構成要素によって実現される機能の他に、詳細は省略するが、種々の機能を実現するための処理を実行する。これら種々の機能については、以下において出現する都度説明する。
【００２４】
位置検出部３１は、ＧＰＳ受信機２から送られてくる位置信号と、記憶装置４から読み出した地図データとを用いてマップマッチングを行うことにより自己の現在位置を検出する。この位置検出部３１において検出された現在位置は、現在位置データとして制御部３３および経路計算部３２に送られる。
【００２５】
経路計算部３２は、位置検出部３１から送られてくる現在位置データによって示される位置を出発地点とし、入力装置１から入力された目的地までの複数の経路候補を、記憶装置４から読み出した地図データに基づいて計算するとともに、各経路候補上の所定の地点（例えば経由地など）への到着時刻を計算する。この経路計算部３２において計算された複数の経路候補および各経路候補上の所定の地点への到着時刻は、経路データとして制御部３３に送られる。
【００２６】
制御部３３は、通信部５に対して、現在位置、具体的には位置検出部３１から送られてくる現在位置データによって示される位置で受信可能な視聴率情報の取得を通信部５に指示し、この指示に応答して通信部５がサーバ２０から受信した視聴率情報を取得して映像信号処理部１０に送る。また、制御部３３は、通信部５に対して、経路計算部３２から送られてくる経路データによって示される経路上の所定地点で受信可能な視聴率情報の取得を指示し、この指示に応答して通信部５がサーバ２０から受信した視聴率情報を取得して映像信号処理部１０に送る。また、制御部３３は、視聴率が高い番組を勧めるメッセージまたは現在位置が属する放送地域でローカルに放送されている番組を勧めるメッセージを生成し、映像信号処理部１０に送る。さらに、制御部３３は、視聴情報を、通信部５を介してサーバ２０に送信する。
【００２７】
次に、上記のように構成される、この発明の実施の形態１に係るナビゲーション装置の動作を、図２〜図４に示すフローチャートおよび図５および図６に示す説明図、ならびに、図７〜図１２に示す表示画面例を参照しながら説明する。
【００２８】
このナビゲーション装置では、まず、現在位置が算出される（ステップＳＴ１１）。すなわち、マイコン６の位置検出部３１は、ＧＰＳ受信機２から送られてくる位置信号と、記憶装置４から読み出した地図データとを用いてマップマッチングを行うことにより自己の現在位置を検出し、この検出した現在位置を、現在位置データとして制御部３３および経路計算部３２に送る。
【００２９】
次いで、放送局のプリセットが行われる（ステップＳＴ１２）。すなわち、マイコン６は、ステップＳＴ１１で算出された現在位置において受信可能である旨が予め規定されている地上デジタル放送の放送局をプリセットする。次いで、ユーザによってオートサーチを指示する操作がなされたどうかが調べられる（ステップＳＴ１３）。すなわち、マイコン６は、入力装置１からオートサーチを指示する指示信号が送られてきたかどうかを調べる。
【００３０】
このステップＳＴ１３において、オートサーチを指示する操作がなされたことが判断されると、放送局のオートサーチが行われる（ステップＳＴ１４）。すなわち、マイコン６は、チャンネルを順次変更しながらＴＶチューナ３で地上デジタル放送を受信できるかどうかを調べ、受信できた地上デジタル放送の放送局の一覧を作成する。この放送局の一覧を表すデータは、映像信号処理部１０を介してディスプレイ１１に送られる。これにより、現在位置で実際に受信可能な放送局がディスプレイ１１に表示される。一方、ステップＳＴ１３において、オートサーチを指示する操作がなされていないことが判断されると、ステップＳＴ１４の処理はスキップされる。
【００３１】
次いで、ユーザによって目的地が設定されたかどうかが調べられる（ステップＳＴ１５）。すなわち、マイコン６は、入力装置１から目的地を指示する指示信号が送られてきたかどうかを調べる。このステップＳＴ１５において、目的地が設定されたことが判断されると、経路計算が行われる（ステップＳＴ１６）。すなわち、マイコン６の経路計算部３２は、位置検出部３１から送られてくる現在位置データによって示される位置を出発地点とし、入力装置１から入力された目的地までの複数の経路候補を、記憶装置４から読み出した地図データに基づいて計算するとともに、各経路候補上の所定の地点への到着時刻を計算し、経路データとして制御部３３に送る。一方、上記ステップＳＴ１５において、目的地が設定されていないことが判断されると、ステップＳＴ１６の処理はスキップされる。
【００３２】
次いで、放送局変更テーブルが作成される（ステップＳＴ１７）。すなわち、映像信号処理部１０は、地上デジタル放送を受信したＴＶチューナ３から送られてくる信号から番組情報を抽出してマイコン６の制御部３３に送る。制御部３３は、映像信号処理部１０から送られてくる番組情報、通信部５から送られてくる視聴率情報、および、経路計算部３２から送られてくる経路候補および経路候補上の所定の地点への到着時刻に基づき、図５に示すような放送局変更テーブルを作成する。
【００３３】
この放送局変更テーブルは、例えば番組情報によって示される番組１は、現在の視聴率が１３％であって、Ａ放送局によって放送されており、２時に到着する地点１ではＡ放送局によって放送され、３時に到着する地点２では受信不可であり、４時に到着する地点３ではＣ放送局によって放送され、６時に到着する目的地ではＣ放送局によって放送されることを表している。なお、経路計算部３２によって経路候補が計算されていない場合は、現在地における各番組の視聴率および放送局名からなる放送局変更テーブルが作成される。
【００３４】
次いで、サーバ処理が実行される（ステップＳＴ１８）。このサーバ処理の詳細を、図４に示すフローチャートを参照しながら説明する。なお、サーバ処理においては、図６に示すような視聴状態テーブルが参照される。視聴状態テーブルは、チャンネル番号（ＣＨ＿Ｎｏ．）、放送局、番組、視聴および送信といった項目から構成されており、サーバ２０との間の通信を制御するために使用される。
【００３５】
サーバ処理では、まず、サーバから視聴率情報を受信可能であるかどうかが調べられる（ステップＳＴ４１）。移動中のナビゲーション装置においては、その通信環境が、位置または時間などによって変化するため、リアルタイムに通信を行うことができない場合がある。そこで、まず、通信部５とサーバ２０との間の通信が可能であるかどうかが調べられる。
【００３６】
このステップＳＴ４１において、サーバから視聴率情報を受信可能であることが判断されると、視聴率情報がダウンロードされる（ステップＳＴ４２）。この場合、通信部５は、制御部３３からの指示に応答して、サーバ２０から、ステップＳＴ１１において算出された現在位置、ステップＳＴ１６において計算された経路候補上の所定の地点および入力装置１から設定された目的地における視聴率情報を選択的に受信し、制御部３３に送る。上記ステップＳＴ４１において、サーバから視聴率情報を受信可能でないことが判断されると、ステップＳＴ４２の処理はスキップされる。
【００３７】
次いで、視聴確定かつ送信待ちがあるかどうかが調べられる（ステップＳＴ４３）。すなわち、マイコン６は、視聴状態テーブルの中に、視聴が「確定」を示しており、かつ、送信が「待ち」になっている番組が存在するかどうかを調べる。このステップＳＴ４３において、視聴確定かつ送信待ちがないことが判断されると、シーケンスは、このサーバ処理からリターンしてステップＳＴ１９に戻る。
【００３８】
一方、ステップＳＴ４３において、視聴確定かつ送信待ちがあることが判断されると、次いで、サーバへ視聴情報を送信可能であるかどうかが調べられる（ステップＳＴ４４）。すなわち、通信部５とサーバ２０との間の通信が可能であるかどうかが調べられる。このステップＳＴ４４において、サーバへ視聴情報を送信可能でないことが判断されると、シーケンスは、このサーバ処理からリターンしてステップＳＴ１９に戻る。
【００３９】
上記ステップＳＴ４４において、サーバへ視聴情報を送信可能であることが判断されると、次いで、視聴情報のアップロードが行われる（ステップＳＴ４５）。すなわち、通信部５は、制御部３３からの指示に応答して、視聴確定かつ送信待ちにあるチャンネル、放送局および番組を含む視聴情報をサーバ２０へ送信する。このように、サーバ２０との通信が不可能である場合は、視聴情報を、視聴確定かつ送信待ちとして蓄えておき、サーバ２０との通信が可能になった場合に、蓄積された視聴情報をサーバ２０に送信するように構成したので、サーバ２０との通信が不可能な状態で発生した視聴情報をもサーバ２０に送信することができる。したがって、サーバ２０においては、正確な視聴率を算出することができる。
【００４０】
次いで、視聴状態テーブルが視聴確定かつ送信済みに更新される（ステップＳＴ４６）。すなわち、マイコン６は、ステップＳＴ４５において視聴情報をアップロードした番組に対応する視聴状態テーブルの送信の項目を「済み」に更新する。その後、シーケンスは、このサーバ処理からリターンしてステップＳＴ１９に戻る。
【００４１】
ステップＳＴ１９においては、ユーザが、例えばナビゲーション装置に設けられているテレビジョンスイッチ（図示しない）を押すことにより、放送番組案内表が表示される。すなわち、映像信号処理部１０は、地上デジタル放送を受信することにより得られたＥＰＧ情報に、ステップＳＴ１８のサーバ処理により取得された視聴率情報を含めた映像信号を生成してディスプレイ１１に送る。これにより、ディスプレイ１１には、例えば図７に示すような、テレビジョン放送の画面またはナビゲーションの地図画面に重畳して、視聴率を含む番組名の一覧からなる視聴番組選択画面が表示される。これにより、ユーザは視聴チャンネルを選択する際に、番組の映像、音声、視聴情報（ＥＰＧ情報）および視聴率を参考にして、どの番組を視聴するのかを決めることができる。
【００４２】
次いで、ユーザが、視聴番組選択画面の中から１つの番組を選択することにより、視聴開始処理が行われる（ステップＳＴ２０）。具体的には、ユーザによって選択されたチャンネル、放送局および番組が視聴状態テーブルに追加的に格納されるとともに視聴時間タイマの初期化が行われ、その後、選択されたチャンネルで放送されている番組の視聴が開始される。次いで、チャンネルが変更されたかどうかが調べられる（ステップＳＴ２１）。このステップＳＴ２１において、チャンネルが変更されたことが判断されると、シーケンスはステップＳＴ２０に戻り、再度、上述した視聴開始処理が繰り返される。
【００４３】
上記ステップＳＴ２１において、チャンネルが変更されていないことが判断されると、次いで、放送番組の変更があるかどうか、つまり視聴中のチャンネルで放送されていた番組が他の番組に変わったかどうかが調べられる（ステップＳＴ２２）。このステップＳＴ２２において、放送番組の変更があることが判断されると、視聴状態テーブルがクリアされる（ステップＳＴ２３）。すなわち、上記ステップＳＴ２０において格納されたチャンネル、放送局および番組がクリアされる。一方、ステップＳＴ２２において、放送番組の変更がないことが判断されると、ステップＳＴ２３の処理はスキップされる。
【００４４】
次いで、視聴確定済みであるかどうかが調べられる（ステップＳＴ２４）。すなわち、ステップＳＴ２０の視聴開始処理において初期化された視聴時間タイマが６０秒経過しており、かつ、視聴状態テーブルの視聴が初期値（確定でない）であるかどうかが調べられる。このステップＳＴ２４において、視聴確定済みであることが判断されると、視聴状態テーブルの視聴に「確定」がセットされる（ステップＳＴ２５）。ステップＳＴ２４において、視聴確定済みでないことが判断されると、ステップＳＴ２５の処理はスキップされる。
【００４５】
次いで、経路変更があるかどうかが調べられる（ステップＳＴ２６）。このステップＳＴ２６においては、まず、図８（ａ）に示すような、現在設定されている経路で視聴可能な番組名を含む経路選択画面が表示される。ユーザは、経路１〜経路４のボタンを操作することにより現在の経路を変更することができる。例えば、経路２のボタンが押されると、図８（ａ）に示すような経路選択画面が表示される。ユーザは、各経路で視聴可能な番組を参照して所望の経路を選択することができる。特に、長距離を走行する場合は、経路決定の一助とすることができる。
【００４６】
このステップＳＴ２６において、経路変更があることが判断されると、シーケンスは、ステップＳＴ１６に戻り、上述した放送局変更テーブル作成以降の処理が繰り返される。一方、ステップＳＴ２６において、経路変更がないことが判断されると、次いで、目的地の変更があるかどうかが調べられる（ステップＳＴ２７）。このステップＳＴ２７において、目的地の変更があることが判断されると、シーケンスは、ステップＳＴ１６に戻り、上述した経路計算以降の処理が繰り返される。
【００４７】
上記ステップＳＴ２７において、目的地の変更がないことが判断されると、次いで、放送地域の変更位置に到達したかどうかが調べられる（ステップＳＴ２８）。すなわち、ステップＳＴ１７において作成された放送局変更テーブルが参照され、自車位置が、放送地域が変更される地点に到達したかどうかが調べられる。このステップＳＴ２８において、放送地域の変更位置に到達したことが判断されると、新たな放送地域の案内表示が行われる（ステップＳＴ２９）。すなわち、自車位置が放送地域を跨いで移動した場合、放送地域が変わる旨の通知が行われ、高視聴率番組または地域のローカル番組の表示を行うかどうかをユーザに案内したり、自動で切り換えたりする。
【００４８】
次いで、チューナ設定処理が行われる（ステップＳＴ３０）。すなわち、変わった後の放送地域に対応する放送局または周波数の再設定が行われる。上記ステップＳＴ２８において、放送地域の変更位置に到達していないことが判断されると、ステップＳＴ２９およびＳＴ３０の処理はスキップされる。次いで、その他の処理が行われる（ステップＳＴ３１）。このステップＳＴ３１における処理には、例えば、地図表示処理、誘導案内処理などといったナビゲーション機能を実現するための処理が含まれる。その後、シーケンスはステップＳＴ１１に戻り、上述した処理が繰り返される。
【００４９】
以上説明したように、この発明の実施の形態１に係るナビゲーション装置によれば、番組情報に視聴率情報を含めて表示するように構成したので、移動中であっても、ユーザの番組選択に寄与できる形態でテレビジョン放送の番組情報を提示できる。その結果、移動に伴って放送地域が変化する場合であっても、ユーザは、自己がいる放送地域において視聴率が高い番組を知ることができ、番組選択の参考にすることができる。
【００５０】
なお、上述した実施の形態１に係るナビゲーション装置において、経路計算が行われて放送局変更テーブルが作成され、この放送局変更テーブルの目的地の欄に現在視聴中の番組と同一の番組が放送されている旨が格納されていれば、図７に示した視聴番組選択画面に、図９に示すように、現在選択されている番組「２ｃｈ：総合ニュース２１  視聴率３２％」は、目的地においても視聴可能である旨のメッセージを表示するように構成することができる。
【００５１】
また、視聴中の放送局を切り換える必要が生じた場合に、同じ番組を他の放送局で放送している場合は、図１０に示すように、切り換えの可否を問い合わせるメッセージを表示するように構成することができる。この構成によれば、ユーザは、同一番組を視聴したい場合は、このメッセージに応答して所定の操作を行うことにより、引き続いて同一番組を視聴することができる。
【００５２】
また、移動によって放送地域が変更され、新たな放送地域のローカル放送局を受信可能になった場合に、図１１に示すように、ローカル放送局への切り換えの可否を問い合わせるメッセージを表示するように構成することができる。この構成によれば、ユーザは、ローカル放送局の選択が容易になる。
【００５３】
さらに、移動により従前の放送地域を離れることによって、それまで視聴していた番組を受信できなくなる、つまり放送局の圏外になる場合に、図１２に示すように、それまでの番組を視聴できなくなる旨のメッセージを表示するように構成することができる。この構成によれば、ユーザは視聴中の番組を受信できなくなる旨を予め知ることができる。この場合、さらに、視聴を継続できるような経路を提示するように構成することもできる。
【符号の説明】
【００５４】
１  入力装置、２  ＧＰＳ受信機、３  ＴＶチューナ、４  記憶装置、５  通信部、６  マイコン、７  音声信号処理部、８  アンプ、９  スピーカ、１０  映像信号処理部、１１ディスプレイ、２０  サーバ、３１  位置検出部、３２  経路計算部、３３  制御部。
【図１】
0005478660.tif 000002
【図２】
0005478660.tif 000003
【図３】
0005478660.tif 000004
【図４】
0005478660.tif 000005
【図５】
0005478660.tif 000006
【図６】
0005478660.tif 000007
【図７】
0005478660.tif 000008
【図８】
0005478660.tif 000009
【図９】
0005478660.tif 000010
【図１０】
0005478660.tif 000011
【図１１】
0005478660.tif 000012
【図１２】
0005478660.tif 000013